(57)【特許請求の範囲】
【請求項１】
カバー板取付部を有する作業機本体と、
この作業機本体に回転可能に取り付けられ、アップカット方向に回転しながら耕耘作業をするアッパーロータリーと、
前記作業機本体に前記アッパーロータリーの後方に位置するように取り付けられたスクリーンと、
前記アッパーロータリーと接触した状態でこのアッパーロータリーにて跳ね上げられる土の飛散を防止する弾性変形可能な弾性カバー板とを備え、
前記弾性カバー板は、前端部が前記カバー板取付部に固定的に取り付けられ、後端部が前記スクリーンの前端側にこのスクリーンに沿って前後方向に移動可能に取り付けられ、
前記弾性カバー板の後端部に少なくとも２つの連結片部が形成され、この形成された連結片部の自由端部が上方への弾性変形により前記スクリーンの間隙から上方に突出し、この突出した自由端部相互が前記スクリーン上を前後方向にスライド可能な連結具によって連結されることにより、前記弾性カバー板の後端部が前記スクリーンに前記連結具を介して取り付けられている
ことを特徴とする農作業機。
【請求項２】
アッパーロータリーの上方を覆うカバー体を備え、このカバー体の下方に弾性カバー板の後端部が配置されている
ことを特徴とする請求項１記載の農作業機。
【発明の詳細な説明】
【０００１】
【発明の属する技術分野】
本発明は、弾性カバー板の破損を抑制できる農作業機に関する。
【０００２】
【従来の技術】
従来のアッパーロータリー作業機等の農作業機は、例えばアップカット方向に回転しながら耕耘作業をするアッパーロータリーと、このアッパーロータリーと接触した状態でこのアッパーロータリーにて跳ね上げられる土の飛散を防止する弾性変形可能な弾性カバー板とを備え、この弾性カバー板は、前後方向両端部がいずれも固定されている。
【０００３】
【発明が解決しようとする課題】
しかしながら、上記従来の農作業機のように、弾性カバー板の前後方向両端部を固定した構成では、例えば石等が多い圃場において石等の異物が弾性カバー板とアッパーロータリーとの間に入り込んだ場合等に、弾性カバー板が破損しやすいという問題がある。
【０００４】
本発明は、このような点に鑑みなされたもので、弾性カバー板の破損を抑制できる農作業機を提供することを目的とする。
【０００５】
【課題を解決するための手段】
請求項１記載の農作業機は、カバー板取付部を有する作業機本体と、この作業機本体に回転可能に取り付けられ、アップカット方向に回転しながら耕耘作業をするアッパーロータリーと、前記作業機本体に前記アッパーロータリーの後方に位置するように取り付けられたスクリーンと、前記アッパーロータリーと接触した状態でこのアッパーロータリーにて跳ね上げられる土の飛散を防止する弾性変形可能な弾性カバー板とを備え、前記弾性カバー板は、前端部が前記カバー板取付部に固定的に取り付けられ、後端部が前記スクリーンの前端側にこのスクリーンに沿って前後方向に移動可能に取り付けられ、前記弾性カバー板の後端部に少なくとも２つの連結片部が形成され、この形成された連結片部の自由端部が上方への弾性変形により前記スクリーンの間隙から上方に突出し、この突出した自由端部相互が前記スクリーン上を前後方向にスライド可能な連結具によって連結されることにより、前記弾性カバー板の後端部が前記スクリーンに前記連結具を介して取り付けられているものである。
【０００６】
そして、弾性カバー板は、前端部がカバー板取付部に固定的に取り付けられ、後端部がスクリーンの前端側にこのスクリーンに沿って前後方向に移動可能に取り付けられているため、例えば弾性カバー板の前後方向両端部を固定した場合に比べて、弾性カバー板の破損が抑制される。また、弾性カバー板の後端部に少なくとも２つの連結片部を形成し、この形成した連結片部の自由端部を上方への弾性変形によりスクリーンの間隙から上方に突出させ、この突出させた自由端部相互をスクリーン上を前後方向にスライド可能な連結具にて連結することで、弾性カバー板の後端部をスクリーンに適切に取り付けることが可能である。
【０００７】
請求項２記載の農作業機は、請求項１記載の農作業機において、アッパーロータリーの上方を覆うカバー体を備え、このカバー体の下方に弾性カバー板の後端部が配置されているものである。
【０００８】
そして、例えば弾性カバー板の後端部をカバー体の上方に突出させて配置した場合に比べて、コンパクト化が図られ、見栄えも良好になる。
【０００９】
【発明の実施の形態】
以下、本発明の農作業機の一実施の形態の構成を図面を参照して説明する。
【００１０】
図１ないし図３において、１は農作業機で、この農作業機１は、例えば図示しない走行車であるトラクタの後部に作業機昇降支持装置である３点リンク機構を介して昇降可能に装着されるアッパーロータリー作業機（アッパーローター）等である。
【００１１】
この農作業機１は、例えば左右方向に長手状でトラクタに装着される作業機本体２を備えている。
【００１２】
この作業機本体２は、トラクタ装着部３および前後方向の入力軸４を有しているとともに、ロータリー取付部（チェーンケースおよびブラケット）５、スクリーン取付部６およびカバー板取付部７を有している。
【００１３】
なお、カバー板取付部７は、左右方向に長手状で、コイルばね等の付勢手段９にて下方に付勢された状態で上下動可能となっている。すなわち、このカバー板取付部７は、ロータリー取付部５の前端部に左右方向の回動軸10を中心として上下回動可能に取着された前サイドカバー板11に固着されている。また、後サイドカバー板12は、ロータリー取付部５の後端部に固着されている。
【００１４】
そして、作業機本体２のロータリー取付部５には、入力軸４側からの動力でアップカット方向（前側が上方に移動する回転方向）に駆動回転しながら耕耘作業をするアッパーロータリー15が回転可能に取り付けられている。このアッパーロータリー15は、例えば左右方向の耕耘軸16およびこの耕耘軸16に放射状に複数固着された略円弧状の耕耘爪17等にて構成されている。
【００１５】
また、作業機本体２のスクリーン取付部６には、アッパーロータリー15の外周に沿った側面視略円弧状（円周の約４分の１の円弧状）のスクリーン21の前端部が、アッパーロータリー15の上方および後方に位置するように固定的に取り付けられている。
【００１６】
このスクリーン21は、圃場表面部が表層は細かく下層は粗い２層構造に仕上がるように、アッパーロータリー15からの土中の大きい土塊等を下方に案内するとともにアッパーロータリー15からの土中の小さい土塊等を後方に通過させるものである。このスクリーン21は、図４に示されるように、例えば左右方向に等しい間隙22をおいて並んで位置する略円弧棒状の複数本の棒状部23にて構成されている。
【００１７】
さらに、このスクリーン取付部６には、アッパーロータリー15の上方つまりスクリーン21の上方を覆う略板状の金属製のカバー体25の前端部が固定的に取り付けられている。このカバー体25の後端部には、整地作業をする略板状の金属製の整地体26が左右方向の回動軸27を介して上下回動可能に取り付けられている。この整地体26の接地圧は、接地圧調整手段28にて調整可能となっている。
【００１８】
また一方で、農作業機１は、例えば左右方向に細長い略矩形板状をなすゴム製の弾性変形可能な直接接触式の弾性カバー板（例えばゴム板）31を備えている。
【００１９】
この弾性カバー板31は、その自重により略円弧面状となって回転中のアッパーロータリー15の外周縁一部である上部前側と面状に接触した状態（耕耘爪17の先端と接触した状態）で、このアッパーロータリー15にて跳ね上げられる土の上方への飛散を防止するものである（図２参照）。
【００２０】
なお、この弾性カバー板31は、アッパーロータリー15の外周縁と常に接触状態にあるものではなく、アッパーロータリー15の外周縁に対して接離自在となっている。すなわち、弾性カバー板31と回転中のアッパーロータリー15の外周縁との間に石等の異物40が入り込んだ場合には、弾性カバー板31は、異物40から受ける力を吸収する方向に移動することによって、その回転中のアッパーロータリー15の外周縁からやや離れた状態となる（図３参照）。
【００２１】
そして、弾性カバー板31の前端部（下端部）は、作業機本体２の前側下部のカバー板取付部７にボルト等の固定具32を介して固定的に取り付けられている。また、この弾性カバー板31の後端部（上端部）は、スクリーン21の前端側（上端側）に例えば取付具である金属製の連結具（止め金具等）33を介してスクリーン21に沿って前後方向に移動可能に取り付けられ、カバー体25の下方（内方）に外部に露出しない状態として配置されている。
【００２２】
すなわち、例えば図４に示されるように、弾性カバー板31の後端部中央に略矩形状の例えば２つの連結片部31aが例えば３つの切欠きにより形成され、この形成された連結片部31aの自由端部（後端部）が連結片部31a略全体の上方への曲げ弾性変形によりスクリーン21の異なる間隙22から上方にそれぞれ突出し、この突出した２つの自由端部相互がスクリーン21上を前後方向にスライド可能な１つの連結具33によって連結されることにより、この弾性カバー板31の後端部がスクリーン21の前端側に連結具33を介してスクリーン21に沿って前後方向に移動可能に取り付けられている。
【００２３】
次に、上記一実施の形態の動作を説明する。
【００２４】
トラクタおよび農作業機１を用いて、石等が多い畑等の圃場を耕耘整地する場合、トラクタの３点リンク機構にて農作業機１全体を所望高さ位置に支持した状態で、トラクタの走行により農作業機１を圃場において前方に移動させる。
【００２５】
すると、入力軸４側からの動力を受けてアップカット方向に回転するアッパーロータリー15にて耕耘作業が行われるとともに、このアッパーロータリー15の後方に位置する整地体26にて整地作業が行われ、圃場表面部が平らになる。
【００２６】
この圃場表面部は、アッパーロータリー15と整地体26との間に位置するスクリーン21のスクリーン作用により、表層が細かく下層が粗い２層構造に仕上げられる。
【００２７】
ここで、弾性カバー板31は、通常作業時には、図２に示すように、回転中のアッパーロータリー15の上部前側上にその自重により載った状態で、この回転中のアッパーロータリー15の上部前側と接触して、このアッパーロータリー15にて跳ね上げられる土の上方への飛散を防止する。
【００２８】
しかしながら、図３に示すように、例えば石等の異物40が、弾性カバー板31とアッパーロータリー15の耕耘爪17との間に入り込んだ場合、連結具33がスクリーン21上を前方にスライド移動することにより、弾性カバー板31の後端部がスクリーン21に沿って前方に移動して、弾性カバー板31全体が回転中のアッパーロータリー15からやや離れた非接触状態となる。なお、弾性カバー板31の後端部は、連結具33がカバー体25の傾斜状のストッパ部25aに当接するまで前方に移動することができる。
【００２９】
そして、異物40が弾性カバー板31に対して及ぼす力が弾性カバー板31の後端部の移動で吸収されることとなり、弾性カバー板31には無理な力が作用せず、弾性カバー板31の破損等の抑制が図られる。弾性カバー板31とアッパーロータリー15との間から石等の異物40がなくなれば、弾性カバー板31は、その自重によって、図２に示すもとの状態にもどる。
【００３０】
なお、例えば石等の異物40が大きく、その異物40が弾性カバー板31に対して及ぼす力を弾性カバー板31の後端部の移動と弾性カバー板31自体の弾性変形とでは吸収できない場合、カバー板取付部７が付勢手段９の付勢に抗して上動することにより、弾性カバー板31の前端部がカバー板取付部７とともに上方に移動して、弾性カバー板31の前側が回転中のアッパーロータリー15からやや大きく離れた状態となる。
【００３１】
このようにして、上記一実施の形態の農作業機１によれば、弾性カバー板31は、その前端部がカバー板取付部７に固定的に取り付けられ、その後端部がスクリーン21の前端側にこのスクリーン21に沿って前後方向に移動可能に取り付けられ、弾性カバー板31とアッパーロータリー15との間に異物40が入り込んだ場合に弾性カバー板31がアッパーロータリー15からやや離れた状態となるため、例えば従来のように弾性カバー板の前後方向両端部を固定した場合等に比べて、弾性カバー板31の破損を抑制でき、しかも、弾性カバー板31が動き易く、弾性カバー板31への土付着を抑制できる。
【００３２】
また、弾性カバー板31の後端部に２つの連結片部31aを形成し、この形成した連結片部31aの自由端部を上方への弾性変形によりスクリーン21の間隙22を通してこのスクリーン21より上方に突出させ、この突出させた自由端部相互をスクリーン21上を前後方向にスライド可能な連結具33にて連結することで、弾性カバー板31の後端部をスクリーン21に簡単かつ適切に取り付けることができるとともに、例えば金属製の連結具33への土付着を抑制できる。
【００３３】
さらに、弾性カバー板31の後端部をカバー体25の下方に配置、つまり弾性カバー板31の後端部を外部に露出させることなくアッパーロータリー15とカバー体25との間に配置したため、例えば弾性カバー板31の後端部をカバー体25の上方に突出させて配置した場合に比べて、コンパクト化を図ることができ、かつ、見栄えも良好にできる。
【００３４】
なお、弾性カバー板31の後端部中央に２つの連結片部31aを切欠きにより形成して、この形成した２つの連結片部31aの自由端側を連結具33にて連結するようなものには限定されず、例えば、弾性カバー板の後端部に少なくとも２つ、例えば４つ、或いは８つ等の連結片部を形成して、この形成した連結片部の自由端部相互を複数個の連結具33にて連結するようなものでもよい。
【００３５】
【発明の効果】
請求項１の発明によれば、弾性カバー板は、前端部がカバー板取付部に固定的に取り付けられ、後端部がスクリーンの前端側にこのスクリーンに沿って前後方向に移動可能に取り付けられているため、例えば弾性カバー板の前後方向両端部を固定した場合に比べて、弾性カバー板の破損を抑制できる。また、弾性カバー板の後端部に少なくとも２つの連結片部を形成し、この形成した連結片部の自由端部を上方への弾性変形によりスクリーンの間隙から上方に突出させ、この突出させた自由端部相互をスクリーン上を前後方向にスライド可能な連結具にて連結することで、弾性カバー板の後端部をスクリーンに適切に取り付けることができる。
【００３６】
請求項２の発明によれば、例えば弾性カバー板の後端部をカバー体の上方に突出させて配置した場合に比べて、コンパクト化を図ることができ、かつ、見栄えも良好にできる。
【図面の簡単な説明】
【図１】  本発明の農作業機の一実施の形態を示す側面図である。
【図２】  同上農作業機の一部を省略した側面図である。
【図３】  同上農作業機の一部を省略した側面図である。
【図４】  同上農作業機の弾性カバー板の後端部の平面図である。
【符号の説明】
１    農作業機
２    作業機本体
７    カバー板取付部
15    アッパーロータリー
21    スクリーン
22    間隙
25    カバー体
31    弾性カバー板
31a   連結片部
33    連結具
【図１】
0003921149.tif 000002
【図２】
0003921149.tif 000003
【図３】
0003921149.tif 000004
【図４】
0003921149.tif 000005